(57)【要約】【課題】簡単な動作により接続部材を互いに接続し、取り外すことができる継手、およびノズルを容易に着脱することができるノズル付ホースを提供する。【解決手段】両端開口部がそれぞれノズル２、ホース３との接続部とされ、壁面に貫通孔１ｘが形成された継手本体１０と、内側面に貫通孔１ｘを介してノズル２の係合部２ｂと係合可能な係合凸部１１０を有し、継手本体１０の外周に弾性嵌合された係止リング１１とからなり、この係止リング１１を継手本体１０の周方向に摺動させることにより係合凸部１１０とノズル２の係合部２ｂとが係合又は離脱される。【選択図】  図１
2008020025.tif 000002
【特許請求の範囲】
【請求項１】
両端開口部がそれぞれ接続部材との接続部とされ、壁面に貫通孔が形成された継手本体と、
内側面に前記貫通孔を介して前記接続部材の係合部と係合可能な係合凸部を有し、前記継手本体の外周に弾性嵌合された係止リングとからなり、
この係止リングを前記継手本体の周方向に摺動させることにより前記係合凸部と前記接続部材の係合部とが係合又は離脱されることを特徴とする継手。
【請求項２】
前記継手本体には、その外周面に、前記係止リングが継手本体の周方向にのみ摺動するよう案内する案内手段が設けられたことを特徴とする請求項１に記載の継手。
【請求項３】
前記案内手段は、溝である請求項２に記載の継手。
【請求項４】
前記案内手段は、連続して又は断続的に形成された対をなすリブである請求項２に記載の継手。
【請求項５】
前記係止リングは、その一部が切りかかれたことを特徴とする請求項１乃至４のいずれか一つに記載の継手。
【請求項６】
ホースと、
接続端側の外周面に係合部が設けられたノズルと、
一方の開口部が前記ホースの接続部とされ、他方の開口部が前記ノズルの接続部とされるとともに、ノズルの接続部寄りの壁面に貫通孔が形成された継手本体と、
内側面に前記貫通孔を介して前記ノズルの係合部と係合可能な係合凸部を有し、前記継手本体の外周に弾性嵌合された係止リングとからなり、
この係止リングを前記継手本体の周方向に摺動させることにより前記係合凸部と前記ノズルの係合部とが係合又は離脱されることを特徴とするノズル付ホース。
【発明の詳細な説明】
【技術分野】
【０００１】
本発明は、例えばホースやノズルのような接続部材を互いに接続するために用いられる継手、およびノズル付ホースに関する。
【背景技術】
【０００２】
従来から、バキュームクリーナーや送風機などに取り付けられたホースにノズルを接続し、ノズルにより吸込量・吐出量や流速などを調整して用いられている（例えば、特許文献１参照。）。
【０００３】
この特許文献１に記載のノズルとホースの接続構造は、ホース接続部の端に抜け止め突起を突設してノズルが繰り返し移動してもホースがホース接続部から抜けるのを防止するものであり、ノズルを頻繁に取り替えることは想定していない。
【０００４】
一方、ノズルとして種々の形状のものを用い、用途に応じて使い分けることも一般的に行われている。
【０００５】
このように、ノズルとして種々の形状のものを用い用途に応じて使い分ける場合、単にノズルをホースに差し込んだり、螺子溝を形成した接続具を用い、この接続具を介してホースとノズルを接続するような方法が主として採用されていた。
【特許文献１】実開昭６３−７１２６７号公報
【発明の開示】
【発明が解決しようとする課題】
【０００６】
しかしながら、単にノズルをホースに差し込んだのでは、ノズルが抜け易いといった問題が生じる。また、ホースとノズルを接続具を介して螺合する場合では、ノズルを取り替える際には一々螺合を解除しなければならず煩雑であった。
【０００７】
本発明は、このような事情に鑑み創案されたもので、簡単な動作により接続部材を互いに接続し、取り外すことができる継手、およびノズルを容易に着脱することができるノズル付ホースを提供するものである。
【課題を解決するための手段】
【０００８】
上記の目的を達成するため、本発明は、両端開口部がそれぞれ接続部材との接続部とされ、壁面に貫通孔が形成された継手本体と、内側面に前記貫通孔を介して前記接続部材の係合部と係合可能な係合凸部を有し、前記継手本体の外周に弾性嵌合された係止リングとからなり、この係止リングを前記継手本体の周方向に摺動させることにより前記係合凸部と前記接続部材の係合部とが係合又は離脱されることを特徴とする。
【０００９】
この発明によれば、継手本体の外周に係止リングが弾性嵌合され、係止リングの内側面に継手本体に形成された貫通孔を介して接続部材の係合部と係合可能な係合凸部が設けられており、係止リングを継手本体の周方向に摺動させることにより係合凸部と接続部材の係合部とが係合又は離脱されるので、簡単な動作で接続部材を互いに接続し、取り外すことができる。また、本発明に係る継手は、継手本体と係止リングにより構成されているので、構造が簡単で部品点数が少なくて済み、コストを低減することができる。
【００１０】
本発明は上記構成の継手において、前記継手本体には、その外周面に、前記係止リングが継手本体の周方向にのみ摺動するよう案内する案内手段が設けられたことを特徴とする。
【００１１】
この発明によれば、案内手段により係止リングが継手本体の周方向にのみ摺動するよう案内されるので、係合凸部と接続部材の係合部とが的確に係合又は離脱される。
【００１２】
上記構成の継手において、前記案内手段は、溝であってもよい。この場合継手本体の外周面に溝を形成することにより、係合凸部と接続部材の係合部とを的確に係合又は離脱させることができる。
【００１３】
また、上記構成の継手において、前記案内手段は、連続して又は断続的に形成された対をなすリブであってもよい。この場合継手本体の外周面に連続して又は断続的に形成された対をなすリブを形成することにより、係合凸部と接続部材の係合部とを的確に係合又は離脱させることができる。
【００１４】
本発明は、前記係止リングは、その一部が切りかかれたことを特徴とする。
【００１５】
この発明によれば、係止リングの一部が切りかかれているので、継手本体に弾性嵌合させるのが容易である。また、係止リングの切りかかれた部分の端部を動作させることで、係止リングを継手本体の周方向に摺動させることができる。
【００１６】
本発明のノズル付ホースは、ホースと、接続端側の外周面に係合部が設けられたノズルと、一方の開口部が前記ホースの接続部とされ、他方の開口部が前記ノズルの接続部とされるとともに、ノズルの接続部寄りの壁面に貫通孔が形成された継手本体と、内側面に前記貫通孔を介して前記ノズルの係合部と係合可能な係合凸部を有し、前記継手本体の外周に弾性嵌合された係止リングとからなり、この係止リングを前記継手本体の周方向に摺動させることにより前記係合凸部と前記ノズルの係合部とが係合又は離脱されることを特徴とする。
【００１７】
この発明によれば、継手本体と係止リングとからなる継手を介してホースとノズルとが接続されているので、係止リングを継手本体の周方向に摺動させることにより係合凸部と接続部材の係合部とが係合又は離脱され、簡単な動作でホースとノズルを互いに接続し、取り外すことができる。
【発明の効果】
【００１８】
本発明によれば、簡単な動作により接続部材を互いに接続し、取り外すことができる継手、およびノズルを容易に着脱することができるノズル付ホースを提供するといった効果を奏する。
【発明を実施するための最良の形態】
【００１９】
以下、本発明の実施の形態について、図面を参照して説明する。
【００２０】
図１には、本実施の形態に係る継手１を介してホース３とノズル２が接続される態様が示されている。
【００２１】
本実施の形態に係る継手１は、両端開口部がそれぞれホース３とノズル２（接続部材）との接続部１ａ，１ｂとされ、壁面に貫通孔１ｘが形成された継手本体１０と、内側面に貫通孔１ｘを介してホース３とノズル２の係合部と係合可能な係合凸部１１０を有し、継手本体１０の外周に弾性嵌合された係止リング１１とからなっている。
【００２２】
継手本体１０は、一方の開口部がホース３の接続部１ａ,他方の開口部がノズルの接続部１ｂとされた筒状体で形成されている。
【００２３】
また、ノズルの接続部１ｂ寄りの壁面に貫通孔１ｘが形成されており、この貫通孔１ｘを介して係止リング３の係合凸部１１０がノズル２の係合部２ｂと係合可能になされている。
【００２４】
継手本体１０の外周面には、連続して形成された対をなすリブ１２が形成されており、係止リング１１が継手本体１０の周方向にのみ摺動するように図られている。
【００２５】
なお、本実施の形態では、リブ１２を継手本体１０の外周面に形成しているが、リブ１２を形成する代わりに、溝を形成してもよい。
【００２６】
さらに、継手本体１の内周面には、ノズル２を挿入したときに、ノズル２の先端縁が突き当たることによりノズル２を位置決めする制止壁１３が形成されている（図２参照）。
【００２７】
継手本体１０のホースの接続部１ａの外周面には、環状の突部１ｙが複数本形成されており、この突部１ｙにホース３の係合部を圧接させることにより、ホース３を接続している〔図２参照〕。
【００２８】
なお、ホース３と継手１との接続方法は、上記方法に限定されるものではない。例えば、ホースの接続部１ａを上記したノズルの接続部１ｂと同様に構成し、後述する係止リング１１を継手本体１０のホースの接続部１ａ側に弾性嵌合させるようにしてもよい。
【００２９】
係止リング１１は、図３に示すように、可撓性を有する（例えば、合成樹脂製）環状部材の一部が切りかかれており、継手本体１０の外周に弾性嵌合される。
【００３０】
また、係止リング１１の切りかかれた部分の端縁がそれぞれ操作部１１ａ，１１ｂとされている。さらに、係止リング３の内側面には、係合凸部１１０が突設されている。
【００３１】
係合凸部１１０は、継手本体１０の貫通孔１ｘに対応する形状であって、貫通孔１ｘの深さよりも高い突出高さに形成されており、貫通孔１ｘを介してノズル２の係合部と係合可能に構成されている。
【００３２】
なお、係止リング３および係合凸部１１０の構成は、上記したものに限定されるものではなく、例えば、ゴムなどの弾性体で形成され、継手本体１０の外周面にわたって弾性嵌合される係止リングに係合凸部を形成したものであってもよい。
【００３３】
ノズル２は、先端部がノズル先部２ａとされ、基端部が継手本体１０に接続される係合部２ｂとされた中空の部材であって、係合部２ｂは、継手本体１の他端の内周よりも若干小径に形成されており、継手本体１０の接続部１ｂの内周に着脱自在に取り付けられる。
【００３４】
また、ノズル２の外周面には、係合凸部１１０と対応する係合部２ｂの位置（ノズル２を継手本体１０の制止壁１３に突き当たるまで継手本体１０に挿入した状態で、貫通孔１ｘから内方に向かって突出した係合凸部１１０に対応する係合部２ｂの位置）に、環状の溝部２０が形成されており、継手本体１０の貫通孔１ｘから突出した係合凸部１１０と溝部２０が係合することにより、継手１に接続されたノズル２の抜脱が阻止されるようになされている。
【００３５】
なお、本実施形態においては、溝部２０は、ノズル２の外周面にわたって環状に形成されているが、このような溝部２０に限られるものではなく、例えば、係合凸部１１０に対応する大きさ・形状の凹部をノズル２に形成したものであってもよい。
【００３６】
さらに、ノズル先部２ａは、用途に応じて種々の形状を有している。ここでは、先端に長孔が開口されたノズル２を例にとって説明しているが、この他にも、例えば、先端に小径の丸孔が開口されたものや、先端に複数本のパイプが取り付けられたものであってもよく、用途に応じてノズル２を適宜選択し、付け替えて使用することができるようになされている。
【００３７】
次に、上記構成の継手１とノズル２の接続・取り外し手順について図面を参照しながら説明する。
【００３８】
初期状態において、係合凸部１１０が貫通孔１ｘに嵌合するように、係止リング１１が継手本体１０に弾性嵌合されている（図３（ｂ）参照）。
【００３９】
なお、ホース２は、基端部がバキュームクリーナーや送風機などに接続されており、先端部が継手本体１０の接続部１ａに接続されている。
【００４０】
ノズル２を継手１に接続する場合は、まず、係止リング３の操作部１１ａに指で周方向に力を加える（図４（ａ）参照）。
【００４１】
なお、操作部１１ａに力を加える代わりに、操作部１１ｂに力を加えてもよい。
【００４２】
このように力が加えられるのに伴って、操作部１１ａが継手本体１０の周方向に摺動される。操作部１１ａに力が加えられ始めたときは、係止リング１１の係合凸部１１０は貫通孔１ｘに嵌合されているので、係合凸部１１０の貫通孔１ｘとの嵌合部分がストッパーとして作用し、係止リング１１が継手本体１０の外周面と離隔する方向に移動していく（図４（ｂ）参照）。
【００４３】
そうすると、係合凸部１１０の貫通孔１ｘから継手本体１０の内方に向かって突出している突出部分１１１のうち、操作部１１ａ寄りの部分１１１ａから順に貫通孔１ｘ内に引き込まれていく。
【００４４】
そして、係合凸部１１０の突出部分１１１が貫通孔１ｘ内に完全に引き込まれるまで、操作部３１に周方向に力を加え続ける。
【００４５】
ただし、係合凸部１１０が貫通孔１ｘから完全に離脱するまで力を加えると、係止リング１１が継手本体１０から外れ、係合凸部１１０が貫通孔１ｘと対応する位置からずれてしまい、その結果、加えていた力を解放しても係合凸部１１０と貫通孔１ｘとが嵌合しなくなってしまう。このため、操作部３１に力を加えるのは、係合凸部１１０が貫通孔１ｘから完全には離脱しない状態であって、かつ係合凸部１１０の突出部分１１１が貫通孔１ｘ内に引き込まれるまで（すなわち、係合凸部１１０の突出部分１１１のうち、操作部１１ａ寄りの部分１１１ａと反対側の部分１１１ｂが継手本体１０の内周面と面一になるまで）とするのが好ましい。
【００４６】
このように、操作部１１ａに周方向に力を加えるだけで、片手によるワンタッチ操作で容易に係合凸部１１０の突出部分１１１を貫通孔１ｘ内に引き込むことができる。
【００４７】
次に、ノズル２の基端縁が継手本体１０の制止壁１３に突き当たるまで、ノズル２を継手本体１０内に挿入する。
【００４８】
続いて、操作部１１ａにかけていた指を放し、加えていた力を解放する。そうすると、係止リング１１の弾性により、係止リング１１が継手本体１０の外周面に密着する。そして、係合凸部１１０が貫通孔１ｘから内方に向かって突出し、この突出部分１１１がノズル２の溝部２０と係合するので、ノズル２が継手１から抜脱することが阻止され、ノズル２が継手１に確実に取り付けられる。
【００４９】
ノズル２を継手本体１から取り外す場合は、上記説明したのと同様に、係合凸部１１０が貫通孔１ｘから完全には離脱しない状態であって、かつ係合凸部１１０の突出部分１１１が貫通孔１ｘ内に引き込まれるまで、操作部３１に片方の手の指で周方向に力を加える（図４（ａ）（ｂ）参照）。
【００５０】
次に、もう一方の手でノズル２をノズル先部２ａ方向に引くと、ノズル２が継手１から引き抜かれ、ノズル２を容易に取り外すことができる。
【００５１】
このようなノズル付ホースは、簡単な動作によりノズル２とホース３を互いに接続し、また、簡単な動作でノズル２を取り外すことができるので、大変使い勝手がよいものとなる。例えば、ホース３を負圧発生手段（バキュームクリーナー）や送風機に接続し、ノズル先部２ａをペットの濡れた毛に接触させ、水分を吸引したり、風圧力によりノズル先部２ａから水分を吹き飛ばして水分を除去するようなものに対して、好適に用いられる。
【００５２】
以上、本発明の実施の形態について、１実施例を説明したが、本発明はこの実施例に限られるものではない。
【産業上の利用可能性】
【００５３】
本発明は、簡単な動作により接続部材を互いに接続し、取り外すことができる継手、およびノズルを容易に着脱することができるノズル付ホースに適用できる。
【図面の簡単な説明】
【００５４】
【図１】本発明の一実施形態に係る継手を示す斜視図である。
【図２】図１の継手の外観を一部を破断して示す斜視図である。
【図３】図１の継手を示す斜視図である。
【図４】本発明の一実施形態に係る継手の使用方法を示す斜視図である。
【符号の説明】
【００５５】
１    継手
１０  継手本体
１１  係止リング
１１０  係合凸部
１２  リブ
２    ノズル
３    ホース
【図１】
2008020025.tif 000003
【図２】
2008020025.tif 000004
【図３】
2008020025.tif 000005
【図４】
2008020025.tif 000006